(57)【特許請求の範囲】
【請求項１】
巻胴式エレベータの機械室において固定された状態で制御盤を支持した一対の取付脚の間に設けられた電動機に連結された状態で前記一対の取付脚を支持した支持体を有した補強体、
を備え、
前記補強体は、水平投影面上において前記一対の取付脚の並び方向と直交する方向に並んで設けられ、前記電動機に連結された状態で前記一対の取付脚を支持した複数の支持体を有した巻胴式エレベータの制御盤支持装置。
【請求項２】
巻胴式エレベータの機械室において固定された状態で制御盤を支持した一対の取付脚の間に設けられた電動機に連結された状態で前記一対の取付脚を支持した支持体を有した補強体、
を備え、
前記支持体は、
前記電動機を挟み込んだ補強支持部と、
前記補強支持部に連結され、前記一対の取付脚を支持した補強梁部と、
を備えた巻胴式エレベータの制御盤支持装置。
【請求項３】
前記一対の取付脚の外側に設けられた連結部、
を備え、
前記補強梁部は、前記連結部に連結され、前記連結部を前記一対の取付脚に押し付ける請求項２に記載の巻胴式エレベータの制御盤支持装置。
【請求項４】
前記補強梁部は、
前記補強支持部の上側に連結され、前記一対の取付脚を支持した第１梁部材と、
前記補強支持部の下側に連結され、前記一対の取付脚を支持した第２梁部材と、
を備えた請求項２または請求項３に記載の巻胴式エレベータの制御盤支持装置。
【請求項５】
前記補強梁部は、
前記補強支持部の水平方向の一側に連結され、前記一対の取付脚の一方を支持した第１梁部材と、
前記補強支持部の水平方向の他側に連結され、前記一対の取付脚の他方を支持した第２梁部材と、
を備えた請求項２または請求項３に記載の巻胴式エレベータの制御盤支持装置。
【請求項６】
巻胴式エレベータの機械室において固定された状態で制御盤を支持した一対の取付脚の間に設けられた電動機に支持体を連結する第１支持工程と、
前記電動機に連結された状態の前記支持体で前記一対の取付脚を支持する第２支持工程と、
を備え、
前記第１支持工程と前記第２支持工程とは、前記一対の取付脚の並び方向と直交する方向に複数回行われる巻胴式エレベータの制御盤支持方法。
【請求項７】
巻胴式エレベータの機械室において固定された状態で制御盤を支持した一対の取付脚の間に設けられた電動機に支持体を連結する第１支持工程と、
前記電動機に連結された状態の前記支持体で前記一対の取付脚を支持する第２支持工程と、
を備え、
前記第１支持工程は、
前記電動機を補強支持部で挟み込む第１補強工程と、
前記補強支持部に補強梁部を連結した状態で前記一対の取付脚を前記補強梁部で支持した第２補強工程と、
を備えた巻胴式エレベータの制御盤支持方法。
【請求項８】
前記第２補強工程は、前記一対の取付脚の外側に設けられた連結部に前記補強梁部を連結した状態で前記補強梁部により前記連結部を前記一対の取付脚に押し付ける工程を備えた請求項７に記載の巻胴式エレベータの制御盤支持方法。
【請求項９】
前記第２補強工程は、
前記補強支持部の上側において前記一対の取付脚を第１梁部材で支持する第１連結工程と、
前記補強支持部の下側において前記一対の取付脚を第２梁部材で支持する第２連結工程と、
を備えた請求項７または請求項８に記載の巻胴式エレベータの制御盤支持方法。
【請求項１０】
前記第２補強工程は、
前記補強支持部の水平方向の一側において前記一対の取付脚の一方を第１梁部材で支持する第１連結工程と、
前記補強支持部の水平方向の他側において前記一対の取付脚の他方を第２梁部材で支持する第２連結工程と、
を備えた請求項７または請求項８に記載の巻胴式エレベータの制御盤支持方法。
【発明の詳細な説明】
【技術分野】
【０００１】
この発明は、巻胴式エレベータの制御盤支持装置および制御盤支持方法に関する。
【背景技術】
【０００２】
特許文献１には、巻胴式エレベータが記載されている。巻胴式エレベータにおいて、制御盤は、取付脚に支持される。取付脚は、ボルトにより巻上機台に固定される。ボルトは、シンダーコンクリートに埋没する。
【先行技術文献】
【特許文献】
【０００３】
【特許文献１】特開２０１３−１７３６１４号公報
【発明の概要】
【発明が解決しようとする課題】
【０００４】
制御盤は、適宜交換される。交換後の制御盤が重い場合、取付脚を補強する必要がある。この際、既設の取付脚を強度のある取付脚に交換することが考えられる。この場合、シンダーコンクリートにハツリ作業を行う必要がある。この際、作業時間が長くなる。
【０００５】
この発明は、上述の課題を解決するためになされた。この発明の目的は、取付脚の強度を上げる際の作業時間を短くすることができる巻胴式エレベータの制御盤支持装置及び制御盤支持方法を提供することである。
【課題を解決するための手段】
【０００６】
この発明に係る巻胴式エレベータの制御盤支持装置は、巻胴式エレベータの機械室において固定された状態で制御盤を支持した一対の取付脚の間に設けられた電動機に連結された状態で前記一対の取付脚を支持した支持体を有した補強体、を備え、前記補強体は、水平投影面上において前記一対の取付脚の並び方向と直交する方向に並んで設けられ、前記電動機に連結された状態で前記一対の取付脚を支持した複数の支持体を有した。
この発明に係る巻胴式エレベータの制御盤支持装置は、巻胴式エレベータの機械室において固定された状態で制御盤を支持した一対の取付脚の間に設けられた電動機に連結された状態で前記一対の取付脚を支持した支持体を有した補強体、を備え、前記支持体は、前記電動機を挟み込んだ補強支持部と、前記補強支持部に連結され、前記一対の取付脚を支持した補強梁部と、を備えた。
【０００７】
この発明に係る巻胴式エレベータの制御盤支持方法は、巻胴式エレベータの機械室において固定された状態で制御盤を支持した一対の取付脚の間に設けられた電動機に支持体を連結する第１支持工程と、前記電動機に連結された状態の前記支持体で前記一対の取付脚を支持する第２支持工程と、を備え、前記第１支持工程と前記第２支持工程とは、前記一対の取付脚の並び方向と直交する方向に複数回行われる。
この発明に係る巻胴式エレベータの制御盤支持方法は、巻胴式エレベータの機械室において固定された状態で制御盤を支持した一対の取付脚の間に設けられた電動機に支持体を連結する第１支持工程と、前記電動機に連結された状態の前記支持体で前記一対の取付脚を支持する第２支持工程と、を備え、前記第１支持工程は、前記電動機を補強支持部で挟み込む第１補強工程と、前記補強支持部に補強梁部を連結した状態で前記一対の取付脚を前記補強梁部で支持した第２補強工程と、を備えた。
【発明の効果】
【０００８】
これらの発明によれば、取付脚は、支持体を介して電動機に連結される。このため、取付脚の強度を上げる際の作業時間を短くすることができる。
【図面の簡単な説明】
【０００９】
【図１】この発明の実施の形態１における巻胴式エレベータの制御盤支持装置が利用された巻胴式エレベータの斜視図である。
【図２】この発明の実施の形態１における巻胴式エレベータの制御盤支持装置に支持された制御盤を正面から見た際の図である。
【図３】この発明の実施の形態１における巻胴式エレベータの制御盤支持装置の要部正面図である。
【図４】この発明の実施の形態１における巻胴式エレベータの制御盤支持装置の要部平面図である。
【図５】この発明の実施の形態２における巻胴式エレベータの制御盤支持装置に支持された制御盤を正面から見た際の図である。
【図６】この発明の実施の形態２における巻胴式エレベータの制御盤支持装置の要部正面図である。
【図７】この発明の実施の形態２における巻胴式エレベータの制御盤支持装置の要部平面図である。
【発明を実施するための形態】
【００１０】
この発明を実施するための形態について添付の図面に従って説明する。なお、各図中、同一又は相当する部分には同一の符号が付される。当該部分の重複説明は適宜に簡略化ないし省略される。
【００１１】
実施の形態１．
図１はこの発明の実施の形態１における巻胴式エレベータの制御盤支持装置が利用された巻胴式エレベータの斜視図である。
【００１２】
図１の巻胴式エレベータにおいて、昇降路１は、建築物の各階を貫く。機械室２は、建築物の内部に設けられる。機械室２は、昇降路１の下部に隣接する。巻上機台３は、機械室２の床面にアンカーボルトで固定される。かご４は、昇降路１の内部に配置される。
【００１３】
プーリ５は、昇降路１の上部に設けられる。巻胴６は、巻上機台３に固定される。主索７は、プーリ５に巻き掛けられる。主索７の一端は、かご４を吊るす。主索７の他端は、巻胴６に巻き付けられる。
【００１４】
電動機８は、巻上機台３に設けられる。電動機８は、巻胴６に隣接する。制御盤９は、電動機８の上方に設けられる。例えば、一対の取付脚１０は、１２０ｍｍ程度の幅のチャンネル鋼材で形成される。一対の取付脚１０の一方は、電動機８の一側に設けられる。一対の取付脚１０の他方は、電動機８の他側に設けられる。一対の取付脚１０は、制御盤９を支持する。一対の取付脚１０の下部は、図示しないボルトで巻上機台３に固定される。ボルトは、シンダーコンクリートに埋没する。
【００１５】
制御盤９は、電動機８に対して回転指令を出力する。電動機８は、当該回転指令に基づいて回転する。巻胴６は、電動機８の回転に追従して回転する。主索７は、巻胴６の回転に追従して移動する。かご４は、主索７の移動に追従して昇降する。
【００１６】
次に、図２を用いて、制御盤支持装置を説明する。
図２はこの発明の実施の形態１における巻胴式エレベータの制御盤支持装置に支持された制御盤を正面から見た際の図である。
【００１７】
図２に示すように、制御盤支持装置は、補強体１１を備える。補強体１１は、支持体１２を備える。支持体１２は、電動機８に連結された状態で一対の取付脚１０を支持する。
【００１８】
次に、図３を用いて、支持体１２を説明する。
図３はこの発明の実施の形態１における巻胴式エレベータの制御盤支持装置の要部正面図である。
【００１９】
図３に示すように、支持体１２は、補強支持部１３と補強梁部１４と連結部１５とを備える。
【００２０】
補強支持部１３は、第１支持部材１３ａと第２支持部材１３ｂとを備える。第１支持部材１３ａは、半円状に形成される。第１支持部材１３ａは、電動機８の外周の一側に沿う。第２支持部材１３ｂは、半円状に形成される。第２支持部材１３ｂは、電動機８の外周の他側に沿う。補強支持部１３は、第１支持部材１３ａと第２支持部材１３ｂとにより電動機８を挟み込む。
【００２１】
補強梁部１４は、第１梁部材１４ａと第２梁部材１４ｂとを備える。第１梁部材１４ａは、棒状に形成される。例えば、第１梁部材１４ａは、第１支持部材１３ａの上側と第２支持部材１３ｂの上側とにボルトとナット等を用いて連結される。第２梁部材１４ｂは、棒状に形成される。例えば、第２梁部材１４ｂは、第１支持部材１３ａの下部と第２支持部材１３ｂの下部とにボルトとナット等を用いて連結される。
【００２２】
連結部１５は、第１連結部材１５ａと第２連結部材１５ｂと第３連結部材１５ｃと第４連結部材１５ｄとを備える。第１連結部材１５ａは、電動機８の中心よりも上方において取付脚１０の一方を外側から覆う。第１連結部材１５ａは、第１梁部材１４ａの一側に連結される。第１連結部材１５ａは、第１梁部材１４ａからの荷重により取付脚１０の一方の外面に押し付けられる。第２連結部材１５ｂは、電動機８の中心よりも上方において取付脚１０の他方を外側から覆う。第２連結部材１５ｂは、第１梁部材１４ａの他側に連結される。第２連結部材１５ｂは、第１梁部材１４ａからの荷重により取付脚１０の他方の外面に押し付けられる。第３連結部材１５ｃは、電動機８の中心よりも下方において取付脚１０の一方を外側から覆う。第３連結部材１５ｃは、第２梁部材１４ｂの一側に連結される。第３連結部材１５ｃは、第２梁部材１４ｂからの荷重により取付脚１０の一方の外面に押し付けられる。第４連結部材１５ｄは、電動機８の中心よりも下方において取付脚１０の他方を外側から覆う。第４連結部材１５ｄは、第２梁部材１４ｂの他側に連結される。第４連結部材１５ｄは、第２梁部材１４ｂからの荷重により取付脚１０の他方の外面に押し付けられる。
【００２３】
一対の取付脚１０の強度を上げる際には、第１支持工程と第２支持工程とが行われる。第１支持工程においては、支持体１２が電動機８に連結される。第２支持工程においては、一対の取付脚１０が支持体１２に支持される。
【００２４】
例えば、第１支持工程においては、第１補強工程と第２補強工程が行われる。第１補強工程においては、補強支持部１３が電動機８を挟み込む。第２補強工程においては、補強梁部１４が補強支持部１３に連結された状態で一対の取付脚１０を支持する。具体的には、連結部１５が補強梁部１４に連結された状態で一対の取付脚１０に押し付けられる。
【００２５】
例えば、第２補強工程においては、第１連結工程と第２連結工程とが行われる。第１連結工程においては、一対の取付脚１０が補強支持部１３の上側において第１梁部材１４ａで支持される。第２連結工程においては、一対の取付脚１０が補強支持部１３の下側において第２梁部材１４ｂで支持される。
【００２６】
次に、図４を用いて、支持体１２の配置を説明する。
図４はこの発明の実施の形態１における巻胴式エレベータの制御盤支持装置の要部平面図である。
【００２７】
図４に示すように、補強体１１は、複数の支持体１２を備える。複数の支持体１２は、水平投影面上において一対の取付脚１０の並び方向と直交する方向に並んで設けられる。この際、第１支持工程と第２支持工程とは、一対の取付脚１０の並び方向と直交する方向に複数回行われる。その結果、支持体１２の一方は、一対の取付脚１０の手前側を支持する。支持体１２の他方は、一対の取付脚１０の奥側を支持する。
【００２８】
以上で説明した実施の形態１によれば、取付脚１０は、支持体１２を介して電動機８に連結される。このため、取付脚１０の強度を上げる際の作業時間を大幅に短くすることができる。この際の作業音は大きくない。このため、作業時間を制限する必要がない。
【００２９】
補強後の取付脚１０は、巻上機台３への固定と電動機８による支持とで安定する。このため、取付脚１０の耐震性を向上することができる。
【００３０】
また、複数の支持体１２は、水平投影面上において一対の取付脚１０の並び方向と直交する方向に並んで設けられる。このため、一対の取付脚１０を安定して支持することができる。
【００３１】
また、補強支持部１３は、電動機８を挟み込む。このため、支持体１２を電動機８へ連結する際の強度を上げることができる。
【００３２】
また、補強梁部１４は、連結部１５を一対の取付脚１０に押し付けることにより一対の取付脚１０を支持する。このため、一対の取付脚１０に取付穴等の加工をすることなく、取付脚１０の強度を上げることができる。
【００３３】
また、補強梁部１４は、補強支持部１３の上側と下側とで一対の取付脚１０を支持する。このため、電動機８と一対の取付脚１０との間の水平方向の隙間が少ない場合でも、一対の取付脚１０を安定して支持することができる。
【００３４】
実施の形態２．
図５はこの発明の実施の形態２における巻胴式エレベータの制御盤支持装置に支持された制御盤を正面から見た際の図である。なお、実施の形態１と同一又は相当部分には同一符号を付して説明を省略する。
【００３５】
実施の形態２の支持体１２は、実施の形態１の支持体１２と異なる。
【００３６】
次に、図６を用いて、支持体１２を説明する。
図６はこの発明の実施の形態２における巻胴式エレベータの制御盤支持装置の要部正面図である。
【００３７】
図６に示すように、支持体１２は、補強支持部１３と補強梁部１４と連結部１５とを備える。
【００３８】
補強支持部１３は、第１支持部材１３ａと第２支持部材１３ｂとを備える。第１支持部材１３ａは、半円状に形成される。第１支持部材１３ａは、電動機８の外周の上側に沿う。第２支持部材１３ｂは、半円状に形成される。第２支持部材１３ｂは、電動機８の外周の下側に沿う。補強支持部１３は、第１支持部材１３ａと第２支持部材１３ｂとにより電動機８を挟み込む。
【００３９】
補強梁部１４は、第１梁部材１４ａと第２梁部材１４ｂとを備える。例えば、第１梁部材１４ａは、第１支持部材１３ａの一側と第２支持部材１３ｂの一側とにボルトとナット等を用いて連結される。例えば、第２梁部材１４ｂは、第１支持部材１３ａの他側と第２支持部材１３ｂの他側とにボルトとナット等を用いて連結される。
【００４０】
連結部１５は、第５連結部材１５ｅと第６連結部材１５ｆとを備える。第５連結部材１５ｅは、電動機８の中心とほぼ同等の高さの位置において取付脚１０の一方を外側から覆う。第５連結部材１５ｅは、第１梁部材１４ａに連結される。第５連結部材１５ｅは、第１梁部材１４ａからの荷重により取付脚１０の一方の外面に押し付けられる。第６連結部材１５ｆは、電動機８の中心とほぼ同等の高さの位置において取付脚１０の他方を外側から覆う。第６連結部材１５ｆは、第２梁部材１４ｂに連結される。第６連結部材１５ｆは、第２梁部材１４ｂからの荷重により取付脚１０の他方の外面に押し付けられる。
【００４１】
第２補強工程においては、第１連結工程と第２連結工程とが行われる。第１連結工程では、取付脚１０の一方が補強支持部１３の水平方向の一側において第１梁部材１４ａで支持される。第２連結工程では、一対の取付脚１０の他方が補強支持部１３の水平方向の一側において第２梁部材１４ｂで支持される。
【００４２】
次に、図７を用いて、支持体１２の配置を説明する。
図７はこの発明の実施の形態２における巻胴式エレベータの制御盤支持装置の要部平面図である。
【００４３】
図７に示すように、補強体１１は、複数の支持体１２を有する。複数の支持体１２は、水平投影面上において一対の取付脚１０の並び方向と直交する方向に並んで設けられる。この際、第１支持工程と第２支持工程とは、一対の取付脚１０の並び方向と直交する方向に複数回行われる。その結果、支持体１２の一方は、一対の取付脚１０の手前側を支持する。支持体１２の他方は、一対の取付脚１０の奥側を支持する。
【００４４】
以上で説明した実施の形態２によれば、補強梁部１４は、補強支持部１３の一側と他側とで一対の取付脚１０を支持する。このため、実施の形態１に比べ、補強梁部１４を短くすることができる。
【００４５】
なお、１つの支持体１２のみで一対の取付脚１０を支持してもよい。例えば、一対の取付脚１０の幅方向の中心付近を支持体１２で支持してもよい。この場合でも、一対の取付脚１０の強度を上げることができる。
【００４６】
また、実施の形態２において、複数の支持体１２を筋交いのように配置してもよい。
【符号の説明】
【００４７】
１  昇降路、  ２  機械室、  ３  巻上機台、  ４  かご、  ５  プーリ、  ６  巻胴、  ７  主索、  ８  電動機、  ９  制御盤、  １０  取付脚、  １１  補強体、  １２  支持体、  １３  補強支持部、  １３ａ  第１支持部材、  １３ｂ  第２支持部材、  １４  補強梁部、  １４ａ  第１梁部材、  １４ｂ  第２梁部材、  １５  連結部、  １５ａ  第１連結部材、  １５ｂ  第２連結部材、  １５ｃ  第３連結部材、  １５ｄ  第４連結部材、  １５ｅ  第５連結部材、  １５ｆ  第６連結部材
【図１】
0006331762.tif 000002
【図２】
0006331762.tif 000003
【図３】
0006331762.tif 000004
【図４】
0006331762.tif 000005
【図５】
0006331762.tif 000006
【図６】
0006331762.tif 000007
【図７】
0006331762.tif 000008